【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
第１のハウジング構成要素及び第２のハウジング構成要素を有し且つ内部に流体を通すための１つ又はそれ以上の流体流入ポートを有するセルハウジングと、前記第１のハウジング構成要素及び第２のハウジング構成要素間に配置されたガスケットと、前記第１のハウジング構成要素と電気的に接触して前記セルハウジング内に配置された第１の流体消費電極と、前記第２のハウジング構成要素と電気的に接触して前記セルハウジング内に配置された第２の電極とを含む少なくとも１つの流体消費セルと、
前記第１の流体消費電極内への前記流体の通過速度を調節するためのバルブと、前記セルハウジングの第１及び第２のハウジング構成要素間に発生するセル電圧に応答して前記バルブを動作させるアクチュエータとを含む流体調整システムと、
を備え、
前記少なくとも１つの流体消費セルが、前記ガスケットの一部を貫通して通り前記第２のハウジング構成要素を前記アクチュエータに電気的に結合する導電体を更に含む、
ことを特徴とする電池。
【請求項２】
前記アクチュエータが、形状記憶合金構成部品を有する、
請求項１に記載の電池。
【請求項３】
前記流体調整システムが、前記セルハウジング内に配置される、
請求項１に記載の電池。
【請求項４】
前記流体調整システムが、前記セルハウジングの外部に配置される、
請求項１に記載の電池。
【請求項５】
前記導電体が、前記第１のハウジング構成要素の内側表面に施工される導電性材料の層と、前記第２のハウジング構成要素と前記導電性材料の層との間に延びる導電素子とを含む、
請求項１に記載の電池。
【請求項６】
前記バルブが、互いに隣接した相対する面を各々が有する第１のプレート及び第２のプレートを含む、
請求項１に記載の電池。
【請求項７】
前記アクチュエータが、前記第１のプレートを開放位置に摺動するための第１の形状記憶合金構成部品と、前記第１のプレートを閉鎖位置に摺動するための第２の形状記憶合金構成部品とを有する、
請求項６に記載の電池。
【請求項８】
前記アクチュエータが、前記第１及び第２の形状記憶合金構成部品を取り付けるレバーアームを含み、該レバーアームが前記開放位置と前記閉鎖位置との間で前記第１のプレートを摺動させる、
請求項７に記載の電池。
【請求項９】
前記アクチュエータが、前記第１のハウジング構成要素の外側表面に取り付けられたシャーシ上に配置される、
請求項１に記載の電池。
【請求項１０】
第１のハウジング構成要素及び第２のハウジング構成要素を有し且つ内部に流体を通すための１つ又はそれ以上の流体流入ポートを有するセルハウジングと、前記第１のハウジング構成要素と電気的に接触して前記セルハウジング内に配置された第１の流体消費電極と、前記第２のハウジング構成要素と電気的に接触して前記セルハウジング内に配置された第２の電極と、前記セルハウジングの外側表面に固定され且つ前記第２のハウジング構成要素に電気的に結合された導電体とを含む少なくとも１つの流体消費セルと、
前記流体消費電極内への前記流体の通過速度を調節するためのバルブと、前記第１及び第２のハウジング構成要素間に発生するセル電圧に応答して前記バルブを動作させるアクチュエータとを含む流体調整システムと、
を備え、
前記導電体が前記アクチュエータに電気的に結合されている、
ことを特徴とする電池。
【請求項１１】
前記アクチュエータが前記セルハウジング内に配置され、前記第１のハウジング構成要素が、前記導電体を前記アクチュエータに電気的に結合することができる貫通穴を有する、
請求項１０に記載の電池。
【請求項１２】
前記導電体が、電気絶縁テープの第１の層と、電気絶縁材料の第２の層と、前記第１及び第２の層の間に配置された導電性材料の第３の層とを含む、
請求項１０に記載の電池。
【請求項１３】
前記アクチュエータが、前記第１のハウジング構成要素の外側表面に取り付けられたシャーシ上に配置される、
請求項１０に記載の電池。
【請求項１４】
前記シャーシを覆うためのリッドを更に有し、前記リッドが流体流入用の穴を含む、
請求項１３に記載の電池。
【請求項１５】
前記バルブが、互いに隣接し相対する表面を各々が有する第１のプレート及び第２のプレートを含む、
請求項１０に記載の電池。
【請求項１６】
前記アクチュエータが、少なくとも１つの形状記憶合金構成部品を有する、
請求項１０に記載の電池。
【請求項１７】
前記アクチュエータが、第１及び第２のハウジング構成要素間に発生する電圧を感知するための回路を含む、
請求項１０に記載の電池。
【請求項１８】
前記バルブが、互いに隣接し相対する表面を各々が有する第１のプレート及び第２のプレートを含む、
請求項１０に記載の電池。
【請求項１９】
前記アクチュエータが、前記第１のプレートを開放位置に摺動するための第１の形状記憶合金構成部品と、前記第１のプレートを閉鎖位置に摺動するための第２の形状記憶合金構成部品とを有する、
請求項１８に記載の電池。
【請求項２０】
前記アクチュエータが、前記第１及び第２の形状記憶合金構成部品を取り付けるレバーアームを含み、該レバーアームが前記開放位置と前記閉鎖位置との間で前記第１のプレートを摺動させる、
請求項１９に記載の電池。
【請求項２１】
前記セルがさらに、正接触端子と負接触端子を備えており、
前記流体調整システムが、前記セルハウジングの内部に配置されており、
前記第１のハウジング構成要素が前記バルブの第１のプレ−トとして作用する底部を有しており、
前記第２の可動プレートが前記第１のハウジング構成要素の内側表面に沿ってスライドするようになっており、
前記流体調整システムがさらにシャーシを備えており、該シャーシと前記バルブとがガスケットによって所定位置に保持されており、
前記アクチュエータがさらに前記流体消費セルの電圧を検知し、該検出されたセルの電圧に応答する制御信号を発生する制御回路を備えており、
前記セルが前記負接触端子及び正接触端子の前記制御回路との電気接触を許容するように構成されており、
前記負接触端子が、前記シャーシ内のバイアを介してシャーシの底面に設けられて前記第１のハウジングの底面内の接触開口を介して露出されており、
導体が前記第２の構成要素に電気的に接続されて、前記セルの外側を回って前記接触開口まで延びて、前記負接触端子と電気接触しており、
前記正接触端子が、前記シャーシ上に設けられて、前記第１のハウジング構成要素の内側表面と接触するように配置されており、
前記負接触端子と正接触端子が前記制御回路に電気的に接続されていることを特徴とする請求項１０に記載の電池。
【請求項２２】
前記セルがさらに、正接触端子と負接触端子を備えており、
前記流体調整システムが、前記第１のハウジング構成要素の外部底面上に配置されかつ前記第２の可動プレートが配置される開口を持つ環状体部分を有するシャーシと、該シャーシの上に延びるリッドとを備えており、
前記アクチュエータがさらに前記流体消費セルの電圧を検知し、該検出されたセルの電圧に応答する制御信号を発生する制御回路を備えており、
導電通路が前記しャーシの両側部のシャーシのバイアの内部に設けられており、２つの接触端子が前記セルの負接触端子と正接触端子に接触するようにシャーシ上に設けられており、
前記シャーシ上の接触端子の１つが前記リッドの導電部分と電気接触するようにシャーシの内側表面上にあるか、または、前記第１のハウジング構成要素の前記底面と電気接触する反対側の表面上にあり、
導体が前記リッドと前記シャーシ上の他方の接触端子との間の電気通路を提供するように設けられていることを特徴とする請求項１０に記載の電池。